(57)【要約】【課題】本発明は、耐候性が良好で強度が高い上、周囲の景観との調和を図ることができる立表示板を提供することを課題とする。【解決手段】一本または複数本の支柱２の上端部に表示板３を取り付けた立表示板１であって、該表示板３は再生ポリエステル樹脂からなり、該支柱２は金属製の芯柱１５と、該芯柱１５を被覆する再生ポリエステル樹脂製のカバー１６，１７とからなる立表示板１を提供する。この場合、該表示板３の表面と該カバー１６，１７の表面には木質調の色彩および／または模様が施されている。【選択図】    図１
2006098940.tif 000002
【特許請求の範囲】
【請求項１】
一本または複数本の支柱の上端部に表示板を取り付けた立表示板であって、該表示板は合成樹脂からなり、該支柱は金属製の芯柱と、該芯柱を被覆する合成樹脂製のカバーとからなることを特徴とする立表示板。
【請求項２】
該表示板の裏面には一個または複数個の補強部材が取り付けられており、該補強部材は金属製の補強芯材と、該補強芯材を被覆する合成樹脂製のカバーとからなり、該支柱は該補強部材を介して該表示板に取り付けられている請求項１に記載の立表示板。
【請求項３】
該支柱のカバーは該芯柱に着脱可能に被着されており、該補強部材のカバーは該補強芯材に着脱可能に被着されており、更に、該補強部材は該表示板にビスで固定されており、該補強部材からはボルトが差し出されており、該ボルトを介して該支柱は該補強部材にナットで固定されている請求項２に記載の立表示板。
【請求項４】
該合成樹脂はポリエステル樹脂である請求項１〜請求項３のいずれかに記載の立表示板。
【請求項５】
該ポリエステル樹脂は再生ポリエステル樹脂である請求項４に記載の立表示板。
【請求項６】
該表示板の表面と該カバーの表面には木質調の色彩および／または模様が施されている請求項１〜請求項５のいずれかに記載の立表示板。
【発明の詳細な説明】
【技術分野】
【０００１】
本発明は、支柱に表示板を取り付けた立表示板に関する。
【背景技術】
【０００２】
名所旧跡や神社仏閣などの由緒や景観の解説を表示するための立表示板は、周囲の景観との調和を重んじるために、木製の立表示板が一般に使用されている。
しかし、木製の立表示板は耐候性が低く、日光により色褪せしたり、雨水により腐食するという問題があった。また、支柱と表示板の取り付けに金属製のボルトを使用すると、金属の部分が外部に露出し、木調の外観が損なわれるという問題もあった。更に、木製の立表示板はあまり強度が高くなく、風雨に侵食された場合にはその強度が更に低下するという問題があった。
そこで、従来、耐候性が良好で強度が高いアルミニウム製の立表示板が一般に提供されている（特許文献１参照）。
【０００３】
【特許文献１】特開平７−２９５４８９号公報（第３−５頁、第２図）
【発明の開示】
【発明が解決しようとする課題】
【０００４】
しかしながら上記従来の構成では、アルミニウム製の表示板と支柱の地肌が周囲の景観と調和しないという問題があった。
【課題を解決するための手段】
【０００５】
本発明は上記従来の課題を解決するための手段として、一本または複数本の支柱２の上端部に表示板３を取り付けた立表示板１であって、該表示板３は合成樹脂からなり、該支柱２は金属製の芯柱１５と、該芯柱１５を被覆する合成樹脂製のカバー１６，１７とからなる立表示板１を提供するものである。
該表示板３の裏面には一個または複数個の補強部材６が取り付けられており、該補強部材６は金属製の補強芯材７と、該補強芯材７を被覆する合成樹脂製のカバー８とからなり、該支柱２は該補強部材６を介して該表示板３に取り付けられていることが望ましい。
また、該支柱２のカバー１６，１７は該芯柱１５に着脱可能に被着されており、該補強部材６のカバー８は該補強芯材７に着脱可能に被着されており、更に、該補強部材６は該表示板３にビス１２で固定されており、該補強部材６からはボルト１０が差し出されており、該ボルト１０を介して該支柱２は該補強部材６にナット２７で固定されていることが望ましい。
この場合、該合成樹脂はポリエステル樹脂であることが望ましい。
更に、該ポリエステル樹脂は再生ポリエステル樹脂であることが望ましい。
また更に、該表示板３の表面と該カバー８，１６，１７の表面には木質調の色彩および／または模様が施されていることが望ましい。
【発明の効果】
【０００６】
本発明の立表示板１では、該表示板３が合成樹脂からなり、該支柱２の金属製の芯柱１５は合成樹脂製のカバー１６，１７によって被覆されているので、金属製の部分が外部に露出することがなく、また、該表示板３の表面と該カバー１６，１７の表面に木質調の色彩および／または模様が施されていれば、周囲の景観との調和を図ることができる。
そして、支柱２の合成樹脂製のカバー１６，１７が金属製の芯柱１５に着脱可能に被着されており、表示板３の裏面に取り付けられる補強部材６の合成樹脂製のカバー８が金属製の補強芯材７に着脱可能に取り付けられており、更に、該補強部材６が該表示板３にビス１２で固定されており、該補強部材６からはボルト１０が差し出されており、該ボルト１０を介して該支柱２が該補強部材６にナット２７で固定されていれば、該ナット２７を取り外すことによって該支柱２を該補強部材６から簡単に取り外すことができるとともに、該ビス１２を取り外すことによって該補強部材６を該表示板３から簡単に取り外すことができ、その上、該支柱２のカバー１６，１７を該芯柱１５から取り外すことができるとともに、該補強部材６のカバー８を該補強芯材７から取り外すことができるので、補強芯材７や芯柱１５などの金属製の部分と、表示板３やカバー８，１６，１７などの合成樹脂製の部分との分解作業が容易であり、リサイクルに非常に適している。
【発明を実施するための最良の形態】
【０００７】
以下、本発明を実施例１〜実施例３により詳細に説明する。
【実施例１】
【０００８】
本発明を図１〜図６に示す一実施例によって説明する。
図１および図２に示すように、本実施例の立表示板１は、一本の支柱２と、該支柱２の上端部に取り付けられる表示板３とからなり、該表示板３は、再生ＰＥＴ（ポリエチレンテレフタレート）を主成分とする合成樹脂製の五角形状の表示板本体４と、該表示板本体４の上部に取り付けられる再生ＰＥＴを主成分とする合成樹脂製の笠木５とからなる。
【０００９】
図３および図４に示すように、該表示板３の裏面には二個の補強部材６が取り付けられており、該補強部材６は、アルミニウム製の補強芯材７と、該補強芯材７を被覆する再生ＰＥＴを主成分とする合成樹脂製のカバー８と、該補強芯材７の両端部にそれぞれ取り付けられる再生ＰＥＴを主成分とする合成樹脂製の両端キャップ９とからなる。
該補強芯材７の中央部には、ボルト１０を挿着して係止するためのボルト保持レール１１が設けられており、該補強芯材７の上側部分と下側部分には、該補強芯材７を該表示板３にビス止めするためのビス１２を挿通するためのビス挿通孔１３がそれぞれ四個ずつ並設されている（図６参照）。
また、該補強部材６のカバー８は断面角形Ｃ字状とされており、該カバー８の中央部には、該ボルト１０を挿通するための一個のボルト挿通孔１４が設けられている。
【００１０】
図５に示すように、該支柱２は、アルミニウム製の芯柱１５と、該芯柱１５を被覆する再生ＰＥＴを主成分とする合成樹脂製の前側カバー１６および後側カバー１７と、該芯柱１５の上端部に取り付けられる再生ＰＥＴを主成分とする合成樹脂製の上端キャップ１８とからなる。
該芯柱１５は前面部１９、後面部２１、両側面部２８と、該両側面部２８を連結する中面部２０とを有しており、該前面部１９および該中面部２０には、該ボルト１０を挿通するための二個のボルト挿通孔２２，２３がそれぞれ縦列して設けられており、該後面部２１には、六角レンチ等の工具（図示せず）を挿入するための二個の作業孔２４が縦列して設けられている。
また、該芯柱１５の前側カバー１６および後側カバー１７は断面角形Ｃ字状とされており、該前側カバー１６には、該ボルト１０を挿通するための二個のボルト挿通孔２５が縦列して設けられている。
更に、該芯柱１５の両側面部２８には、該前側カバー１６と該後側カバー１７の両端部がスライド嵌合して係止される嵌合溝２６が凹設されており、該芯柱１５の下端部には、該支柱２を地面に固定するためのアンカーボルト孔（図示せず）が設けられている。
【００１１】
該表示板３の表面と該カバー８の表面ならびに該前側カバー１６の表面と該後側カバー１７の表面には木質調の色彩および模様が施されており、更に、該表示板本体４の表側の表面には、文字や図柄（例えば、名所旧跡や神社仏閣の由緒や景観の解説など）が印刷された合成樹脂製の透明フィルム（図示せず）が貼着されている。
この場合、該透明フィルムとして艶消しの透明フィルムを使用することにより、日光の反射によって文字や図柄が見にくくなるのを抑えることができ、更に、木調の外観を損なうのを防止することができる。
【００１２】
上記の立表示板１を組み立てる場合には、図６に示すように、まず、表示板３の裏面に補強芯材７をビス１２によりビス止めして固定し、該補強芯材７のボルト保持レール１１にボルト１０を挿着し、該ボルト１０を横方向にスライドさせて該補強芯材７の中央位置にボルト１０を係止保持させる。
次に、補強芯材７のカバー８のボルト挿通孔１４に該ボルト１０を挿通するとともに、該カバー８を該補強芯材７に嵌着して取り付け、該補強芯材７の両端部に両端キャップ９をそれぞれ取り付ける。
その後、支柱２の芯柱１５の嵌合溝２６に前側カバー１６の両端部をスライド嵌合させて、該芯柱１５の前側に該前側カバー１６を取り付け、そして、該前側カバー１６のボルト挿通孔２５と該芯柱１５の前面部１９および中面部２０のボルト挿通孔２２，２３とに該ボルト１０を挿通した後、該芯柱１５の作業孔２４から六角レンチ等の工具を挿入して、該芯柱１５の内部において該ボルト１０にナット２７を螺着して締め付け固定する。
最後に、該芯柱１５の嵌合溝２６に後側カバー１７をスライド嵌合させて、該芯柱１５の後側に後側カバー１７を取り付け、該芯柱１５の上端部に上端キャップ１８を取り付ける。
このとき、該前側カバー１６と該後側カバー１７を該芯柱１５に取り付けた状態では、該前側カバー１６の両端部と該後側カバー１７の両端部との間には隙間がなく、該芯柱１５は外部から見えないようにされている。
【００１３】
上記のように、該表示板３が再生ＰＥＴを主成分とする合成樹脂からなり、該支柱２のアルミニウム製の芯柱１５は再生ＰＥＴを主成分とする合成樹脂製の前側カバー１６および後側カバー１７および上端キャップ１８によって被覆されているので、アルミニウム製の部分が外部に露出することがなく、更に、該表示板３の表面と該前側カバー１６および該後側カバー１７の表面に木質調の色彩および模様が施されているので、周囲の景観との調和を図ることができる。
その上、該補強部材６のアルミニウム製の補強芯材７は再生ＰＥＴを主成分とする合成樹脂製のカバー８および両端キャップ９によって被覆されているので、アルミニウム製の部分が外部に露出することがなく、更に、該カバー８の表面に木質調の色彩および模様が施されているので、周囲の景観との調和を図ることができる。
【００１４】
また、該表示板３が再生ＰＥＴを主成分とする合成樹脂からなり、該支柱２がアルミニウム製の芯柱１５と、該芯柱１５を被覆する再生ＰＥＴを主成分とする合成樹脂製の前側カバー１６および後側カバー１７とからなるので、耐候性が高く、日光により色褪せしたり、雨水により腐食することがない。
その上、該補強部材６が、アルミニウム製の補強芯材７と、該補強芯材７を被覆する再生ＰＥＴを主成分とする合成樹脂製のカバー８とからなるので、耐候性が高く、日光により色褪せしたり、雨水により腐食することがない。
【００１５】
更に、補強芯材７や芯柱１５などのアルミニウム製の部分と、表示板３や前側カバー１６、後側カバー１７などの再生ＰＥＴを主成分とする合成樹脂製の部分とが、嵌め合わせやねじ止めによって組み立てられているので、作業孔２４を介して該ナット２７を取り外すことによって該支柱２を該補強部材６から簡単に取り外すことができるとともに、該ビス１２を取り外すことによって該補強部材６を該表示板３から簡単に取り外すことができ、その上、該支柱２の前側カバー１６および後側カバー１７をスライドさせて該芯柱１５から取り外すとともに、該補強部材６のカバー８を引き離して該補強芯材７から取り外すことができるので、上記アルミニウム製の部分と上記再生ＰＥＴを主成分とする合成樹脂製の部分との分解作業が容易であり、リサイクルに非常に適している。
【００１６】
また更に、該芯柱１５の内部において該ボルト１０にナット２７が螺着して締め付け固定されており、その上から該芯柱１５に前側カバー１６と後側カバー１７を取り付けるので、該ナット２７が外部から見えることがなく、更に、該前側カバー１６と該後側カバー１７を該芯柱１５に取り付けた状態では、該前側カバー１６と該後側カバー１７との間には隙間がなく、該芯柱１５が外部から見えないように構成されているので、周囲の景観との調和を損なうことがない。
【００１７】
また、該芯柱１５の後側に設けられた作業孔２４から六角レンチ等の工具を挿入して、該ボルト１０にナット２７を螺着して締め付け固定することができるので、組付け作業を後側から簡単に行うことができる。
【００１８】
更に、支柱２の芯柱１５として、アルミニウム製の芯柱１５を使用しているので、該芯柱１５の肉厚や外寸を変更することによって、必要に応じた強度設計を容易にすることができ、また、様々な大きさや形状に設計変更することが容易に可能となる。
【００１９】
また更に、表示板３の裏面に補強部材６が取り付けられているので、該補強部材６の個数や位置を変更することにより、必要に応じた強度設計を容易にすることができ、また、様々な大きさや形状に設計変更することが容易に可能となる。
【実施例２】
【００２０】
図７および図８には他の実施例が示される。
図１〜図６に示した実施例１に対して、本実施例の立表示板１は、二本の支柱２と、該支柱２の上端部に取り付けられる四角形状の表示板３とからなり、該表示板３の裏面には四個の補強部材６が取り付けられている。
【００２１】
本実施例の立表示板１でも、実施例１と同様の支柱２や補強部材６を使用しているため、実施例１と同様の作用効果を奏することができる。
すなわち、該表示板３が再生ＰＥＴを主成分とする合成樹脂からなり、該支柱２のアルミニウム製の芯柱１５は再生ＰＥＴを主成分とする合成樹脂製の前側カバー１６および後側カバー１７および上端キャップ１８によって被覆されているので、アルミニウム製の部分が外部に露出することがなく、更に、該表示板３の表面と該前側カバー１６および該後側カバー１７の表面に木質調の色彩および模様が施されているので、周囲の景観との調和を図ることができる。
そして、実施例１と同様、支柱２の再生ＰＥＴを主成分とする合成樹脂製の前側カバー１６および後側カバー１７がアルミニウム製の芯柱１５に着脱可能に被着されており、表示板３の裏面に取り付けられる補強部材６の再生ＰＥＴを主成分とする合成樹脂製のカバー８がアルミニウム製の補強芯材７に着脱可能に取り付けられており、更に、該補強部材６が該表示板３にビス１２で固定されており、該補強部材６からはボルト１０が差し出されており、該ボルト１０を介して該支柱２が該補強部材６にナット２７で固定されているので、該ナット２７を取り外すことによって該支柱２を該補強部材６から簡単に取り外すことができるとともに、該ビス１２を取り外すことによって該補強部材６を該表示板３から簡単に取り外すことができ、その上、該支柱２の前側カバー１６および後側カバー１７をスライドさせて該芯柱１５から取り外すことができるとともに、該補強部材６のカバー８を引き離して該補強芯材７から取り外すことができるので、補強芯材７や芯柱１５などのアルミニウム製の部分と、表示板３やカバー８や前側カバー１６や後側カバー１７などの再生ＰＥＴを主成分とする合成樹脂製の部分との分解作業が容易であり、リサイクルに非常に適している。
【実施例３】
【００２２】
図９〜図１２には更に他の実施例が示される。
図１〜図６に示した実施例１に対して、図９に示すような本実施例の立表示板１では、補強部材６のカバー８の中央部に一個のボルト挿通孔１４が設けられており、該補強部材６のカバー８の両端部に二個のボルト挿通孔２９が設けられている（図１０参照）。
また、支柱２の芯柱１５の前面部１９と中面部２０と後面部２１には、該補強部材６の中央部から差し出されたボルト１０を挿通するための二個のボルト挿通孔２２，２３，３０がそれぞれ縦列して設けられており、該芯柱１５の前側カバー１６と後側カバー１７には該ボルト１０を挿通するための二個のボルト挿通孔２５，３１が縦列して設けられている（図１１および図１２参照）。
【００２３】
本実施例の立表示板１を組み立てる場合には、まず、表示板３の裏面に補強芯材７をビス１２によりビス止めして固定し、該補強芯材７のボルト保持レール１１にボルト１０を挿着し、該ボルト１０を横方向にスライドさせて該補強芯材７の中央位置にボルト１０を係止保持させるとともに、該補強芯材７のボルト保持レール１１に二個のボルト３２を挿着し、該ボルト３２を横方向にスライドさせて該補強芯材７の両端位置にボルト１０を係止保持させる。
次に、補強芯材７のカバー８の中央のボルト挿通孔１４に該中央のボルト１０を挿通するとともに、補強芯材７のカバー８の両端のボルト挿通孔２９に該両端のボルト３２を挿通して、該カバー８を該補強芯材７に嵌着して取り付け、該補強芯材７の両端部に両端キャップ９をそれぞれ取り付けて、該補強部材６の後側から該両端のボルト３２にナット３３を螺着して締め付け固定する。
その後、支柱２の芯柱１５の嵌合溝２６に前側カバー１６の両端部をスライド嵌合させて、該芯柱１５の前側に該前側カバー１６を取り付けるとともに、支柱２の芯柱１５の嵌合溝２６に後側カバー１７の両端部をスライド嵌合させて、該芯柱１５の後側に該後側カバー１７を取り付け、該芯柱１５の上端部には上端キャップ１８を取り付ける。
そして、該前側カバー１６のボルト挿通孔２５と、該芯柱１５の前面部１９および中面部２０および後面部２１のボルト挿通孔２２，２３，３０と、該後側カバー１７のボルト挿通孔３１とに該ボルト１０を挿通した後、該支柱２の後側から該ボルト１０にナット２７を螺着して締め付け固定する。
このとき、該前側カバー１６と該後側カバー１７を該芯柱１５に取り付けた状態では、該前側カバー１６の両端部と該後側カバー１７の両端部との間には隙間がなく、該芯柱１５は外部から見えないようにされている。
【００２４】
本実施例の立表示板１では、補強芯材７や芯柱１５などのアルミニウム製の部分と、表示板３や前側カバー１６、後側カバー１７などの再生ＰＥＴを主成分とする合成樹脂製の部分とが、嵌め合わせやねじ止めによって組み立てられているので、該支柱２の後側から該ナット２７を取り外すことによって該支柱２を該補強部材６から簡単に取り外すことができるとともに、該ビス１２を取り外すことによって該補強部材６を該表示板３から簡単に取り外すことができ、その上、該支柱２の前側カバー１６および後側カバー１７をスライドさせて該芯柱１５から取り外すとともに、該補強部材６のカバー８を引き離して該補強芯材７から取り外すことができるので、上記アルミニウム製の部分と上記再生ＰＥＴを主成分とする合成樹脂製の部分との分解作業が容易であり、リサイクルに非常に適している。
【００２５】
また、実施例１と同様、該表示板３が再生ＰＥＴを主成分とする合成樹脂からなり、該支柱２がアルミニウム製の芯柱１５と、該芯柱１５を被覆する再生ＰＥＴを主成分とする合成樹脂製の前側カバー１６および後側カバー１７とからなるので、耐候性が高く、日光により色褪せしたり、雨水により腐食することがない。
その上、実施例１と同様、該補強部材６が、アルミニウム製の補強芯材７と、該補強芯材７を被覆する再生ＰＥＴを主成分とする合成樹脂製のカバー８とからなるので、耐候性が高く、日光により色褪せしたり、雨水により腐食することがない。
【００２６】
以上、本発明の実施の形態を実施例により説明したが、本発明の範囲はこれらに限定されるものではなく、請求項に記載された範囲内において目的に応じて変更・変形することが可能である。
【産業上の利用可能性】
【００２７】
本発明は、耐候性が良好で強度が高い上、周囲の景観との調和を図ることができる立表示板として、産業上利用することが出来る。
【図面の簡単な説明】
【００２８】
【図１】実施例１の立表示板の正面図である。
【図２】実施例１の立表示板の裏面図である。
【図３】実施例１の立表示板の裏側からの斜視図である。
【図４】実施例１の表示板の分解斜視図である。。
【図５】実施例１の支柱の分解斜視図である。
【図６】実施例１の立表示板の側断面図である。
【図７】実施例２の立表示板の正面図である。
【図８】実施例２の立表示板の裏面図である。
【図９】実施例３の立表示板の裏側からの斜視図である。
【図１０】実施例３の表示板の分解斜視図である。。
【図１１】実施例３の支柱の分解斜視図である。
【図１２】実施例３の立表示板の側断面図である。
【符号の説明】
【００２９】
１  立表示板
２  支柱
３  表示板
６  補強部材
７  補強芯材
８  カバー
１０  ボルト
１２  ビス
１５  芯柱
１６  カバー（前側カバー）
１７  カバー（後側カバー）
２７  ナット
【図１】
2006098940.tif 000003
【図２】
2006098940.tif 000004
【図３】
2006098940.tif 000005
【図４】
2006098940.tif 000006
【図５】
2006098940.tif 000007
【図６】
2006098940.tif 000008
【図７】
2006098940.tif 000009
【図８】
2006098940.tif 000010
【図９】
2006098940.tif 000011
【図１０】
2006098940.tif 000012
【図１１】
2006098940.tif 000013
【図１２】
2006098940.tif 000014